(57)【要約】【課題】スマート照明装置、並びにスマート照明制御方法及びシステムを提供する。【解決手段】前記スマート照明装置は、無線通信モジュール、制御モジュール、前記スマート照明装置の近くのイメージ／ビデオをリアルタイムで集め、前記イメージ／ビデオを分析用の前記制御モジュールに送信するように構成されるイメージ取得モジュール、及び前記操作モード間を切り替える前記制御モジュールからの制御信号を受信するためにスリープ・モード及び監視モードを含む操作モードを有し、前記監視モードで操作されるときに前記スマート照明装置の周辺域のオーディオ信号を集めるように構成されるマイクロフォン・モジュールを含む。【選択図】図１
2017511952.tif 000002
【特許請求の範囲】
【請求項１】
光を発生するように構成される発光モジュール、
スマート照明装置全体に電力を供給するように構成される電力供給モジュール、
無線通信を実行するように構成される無線通信モジュール、
前記スマート照明装置の周辺域のイメージ又はビデオをリアルタイムでとらえ、当該イメージ又はビデオを分析用の前記制御モジュールに送信するように構成されるイメージ取得モジュール、
スリープ・モード及び監視モードを含む操作モードを有するように構成され、前記操作モード間を切り替えるために前記イメージ又は前記ビデオに基づいて前記制御モジュールから制御信号を受信するようにされるマイクロフォン・モジュールであって、ここで当該マイクロフォン・モジュールは前記監視モードで操作されるときに前記スマート照明装置の周辺域のオーディオ信号を集めるように構成されるマイクロフォン・モジュール、及び
前記イメージ取得モジュールからの前記イメージ又は前記ビデオを受信・分析して前記イメージ又は前記ビデオに基づいて前記制御信号を提供するために、前記発光モジュール、前記イメージ取得モジュール、前記マイクロフォン・モジュール、及び前記無線通信モジュールにそれぞれ接続し、前記イメージにヒト又は特定のヒトの身振りが出現するときに前記制御信号を前記マイクロフォン・モジュールに送信して前記監視モードに切り替えるように構成される、前記制御モジュール、
を含むスマート照明装置。
【請求項２】
前記制御モジュールが、さらに、前記マイクロフォン・モジュールからのオーディオ信号に関する音声認識を実行して音声指令を生成し、前記発光モジュールを制御して前記音声指令にしたがって発せられた光を調整するように構成される、請求項１に記載のスマート照明装置。
【請求項３】
前記イメージ取得モジュールは、さらに、イメージ・センサーを含むように構成され、
前記イメージ・センサーが電荷結合素子（charge-coupled device：ＣＣＤ）イメージ・センサー、又は相補型金属酸化物半導体（complementary metal-oxide semiconductor：ＣＭＯＳ）イメージ・センサーである、請求項１に記載のスマート照明装置。
【請求項４】
さらに、前記マイクロフォン・モジュールが前記監視モードで誘導されるか否かを示すように構成されるマイクロフォン・アクティブ化インジケーターを含む、請求項１に記載のスマート照明装置。
【請求項５】
前記無線通信モジュールが、ラジオ周波（radio frequency (RF)）モジュール、ＷＩ−ＦＩモジュール、又はブルートゥース・モジュールであり、及び
前記無線通信モジュールが前記ＲＦモジュールであるとき、前記無線通信モジュールが２．５Ｇ、３Ｇ、又は４Ｇモバイル無線通信技術を用いるように構成される、請求項１に記載のスマート照明装置。
【請求項６】
前記イメージ取得モジュールが、さらに、前記イメージ取得モジュールによりとらえられるイメージ又はビデオを分析及び認識するように構成されるイメージ認識ユニットを含み、及び
前記ヒト又は前記特定のヒトの身振りが前記イメージ又は前記ビデオに確認されるとき、前記イメージ認識ユニットが、前記制御信号を前記マイクロフォン・モジュールに送信して前記監視モードに切り替えるために前記制御モジュールにフィードバックを送信する、請求項３に記載のスマート照明装置。
【請求項７】
クラウド・サーバー、及び
スマート照明装置
を含むスマート照明制御システムであって、前記スマート照明装置が
光を発生するように構成される発光モジュール、
前記スマート照明装置全体に電力を供給するように構成される電力供給モジュール、
前記スマート照明装置の周辺域のイメージ又はビデオをリアルタイムでとらえ、当該イメージ又はビデオを無線通信モジュールに送信するように構成されるイメージ取得モジュール、
前記イメージ又は前記ビデオを前記イメージ取得モジュールから前記クラウド・サーバーに送信し、外部装置と無線通信を実行するように構成される前記無線通信モジュール、
スリープ・モード及び監視モードを含む操作モードを有するように構成され、前記操作モード間を切り替えるために前記イメージ又は前記ビデオに基づいて制御モジュールから制御信号を受信するように構成されるマイクロフォン・モジュールであって、ここで前記マイクロフォン・モジュールは前記監視モードで操作されるときに前記スマート照明装置の周辺域のオーディオ信号を集めるように構成されるマイクロフォン・モジュール、及び
前記操作モード間を切り替えるために前記制御信号を前記マイクロフォン・モジュールに送信するように構成される前記制御モジュール、
を含み、
ここで、前記無線通信モジュールが前記イメージ又は前記ビデオを前記イメージ取得モジュールから前記クラウド・サーバーに送信し、
前記クラウド・サーバーが認識ソフトウエアを用いてイメージ認識を実行し、
前記クラウド・サーバーが、前記イメージ又は前記ビデオにヒト又は特定のヒトの身振りが出現すると判断するとき、前記クラウド・サーバーが前記マイクロフォン・モジュールを前記監視モードに切り替えるために前記制御モジュールにフィードバックを送信する、
スマート照明制御システム。
【請求項８】
前記クラウド・サーバーが、さらに、
前記マイクロフォン・モジュールからのオーディオ信号を解析し、及び
音声指令が前記オーディオ信号から認識されるとき、前記発光モジュールを制御して前記音声指令にしたがって発光を調整するために当該音声指令を前記制御モジュールに送信するように構成される、
請求項７に記載のスマート照明制御システム。
【請求項９】
電力供給モジュール、発光モジュール、イメージ取得モジュール、スリープ・モード及び監視モードを含む操作モードを有するように構成されるマイクロフォン・モジュール、無線通信モジュール、及び制御モジュールを含むスマート照明装置を提供すること、
前記スマート照明装置の周辺域のイメージ又はビデオをとらえ、前記イメージ又は前記ビデオを分析用の前記制御モジュールに送信すること、
ヒト又は特定のヒトの身振りの出現が前記イメージ又は前記ビデオに確認されるとき、前記マイクロフォン・モジュールを前記監視モードに切り替えること、
前記スマート照明装置の周辺域のオーディオ信号を前記監視モードの前記マイクロフォン・モジュールにより集めること、
前記オーディオ信号を音声指令を生成するために、前記スマート照明装置の制御モジュールによりローカルで、又は前記スマート照明装置に接続されるクラウド・サーバーにより、認識すること、及び
前記音声指令にしたがって前記発光モジュールから発せられる光のスイッチのオン／オフ、輝度、色彩、色彩、色彩温度、又はそれらの組み合わせを調整すること、
を含むスマート照明制御方法。
【請求項１０】
さらに、
同一ネットワークに１又は複数のスマート照明装置を配置すること、
前記音声指令により前記スマート照明装置に接続される前記クラウド・サーバーを通して第二スマート照明装置を制御すること、
を含む請求項９に記載の方法。
【請求項１１】
前記イメージ取得モジュールが、さらに、イメージ・センサーを含むように構成され、及び当該イメージ・センサーがＣＣＤイメージ・センサー又はＣＭＯＳイメージ・センサーである、
請求項９に記載の方法。
【請求項１２】
前記イメージ取得モジュールが、さらに、前記イメージ取得モジュールによりとらえられる前記イメージ又は前記ビデオを分析・認識するように構成されるイメージ認識ユニットを含み、及び
前記ヒト又は前記特定のヒトの身振りの出現が前記イメージ又はビデオに確認されるとき、前記イメージ認識ユニットが前記制御モジュールにフィードバックを送信して、前記マイクロフォン・モジュールを前記監視モードに切り替える、
請求項９に記載の方法。
【請求項１３】
前記イメージ取得モジュールが、前記イメージ又は前記ビデオを前記無線通信を介して前記クラウド・サーバーに送信し、
前記ヒト又は前記特定のヒトの身振りの出現が前記イメージ又はビデオに確認されるとき、前記クラウド・サーバーが、前記制御モジュールにフィードバックを送信して、前記マイクロフォン・モジュールを前記監視モードに切り替える、
請求項９に記載の方法。
【請求項１４】
さらに、
前記スマート照明装置を前記無線通信モジュールを介してインターネットに接続すること、及び
前記マイクロフォン・モジュールにより前記音声指令にしたがってオンライン情報を問い合わせること、ここで前記オンライン情報が天気予報又は交通情報であること、
を含む、請求項９に記載の方法。
【請求項１５】
さらに、
前記スマート照明装置に組み込みスピーカーを提供すること、
前記組み込みスピーカーにより前記オンライン情報を放送すること、
を含む、請求項１４に記載の方法。
【請求項１６】
さらに、
前記スマート照明装置として同一のネットワークに外部装置を接続すること、及び
前記外部スピーカーにより前記オンライン情報を放送すること、
を含む、請求項１４に記載の方法。
【請求項１７】
前記イメージ取得モジュールが、前記スマート照明装置の周辺域の前記イメージ又は前記ビデオをとらえ、前記イメージ又は前記ビデオを分析用の前記制御モジュールに送信し、及び
前記制御モジュールが、前記イメージ又は前記ビデオのヒトが予め設定された時間の間に消えるとき、前記制御モジュールが制御信号を送信して前記マイクロフォン・モジュールを前記スリープ・モードに切り替える、
請求項９に記載の方法。
【請求項１８】
さらに、前記スマート照明装置の近くのヒトが特定の身振り又は音声指令を実行するとき、前記マイクロフォン・モジュールを前記スリープ・モードに切り替えること、
を含む、請求項９に記載の方法。
【発明の詳細な説明】
【技術分野】
【０００１】
本出願は、2014年9月26日に出願された中国特許出願CN201410504305.6に基づく優先権を主張し、この出願全体は本発明に参照により取り込まれる。
【０００２】
本願開示は、一般的には照明技術の分野に関し、特に、スマート照明装置、スマート照明制御システム、及びスマート照明制御方法に関する。
【背景技術】
【０００３】
スマート照明装置は、多くの場合、当該照明装置の基本制御（スイッチのオン／オフ及び輝度調整のような）を実行するために声を用いるように構成されるマイクロフォン・ユニットを含む。しかしながら、現存するスマート照明装置は、一般的に、無線通信性能を持たず、インターネットを介してスマート端末に集められたオーディオ信号を送信できず、これが様々な状況におけるその応用を制限している。
【発明の概要】
【発明が解決しようとする課題】
【０００４】
一方、たとえ幾つかのスマート照明装置が無線通信性能及び音声認識機能を持つことができたとしても、前記マイクロフォンは絶えず監視モード（monitoring mode）で操作しなければならないだろう。このため、前記装置のエネルギー消費が増大する。さらに、しばしば前記集められたオーディオ信号は役に立たず、ときに間違ったコマンド認識を引き起こす可能性がある。結局、エラー・メッセージ及び間違ったアクションが生じる可能性がある。
【０００５】
したがって、スマート照明装置が低水準のエネルギー消費を維持できるような制御可能な操作モードをもつ、マイクロフォンを備えるスマート照明装置を提供することが望ましい。本願開示の方法、装置、及びシステムは、当該技術における上述１又は複数の課題及びその他の課題に関する。
【課題を解決するための手段】
【０００６】
本願開示の1つの側面は、スマート照明装置を提供する。当該スマート照明装置は、光を発するように構成される発光モジュール、スマート照明装置全体に電力を供給するように構成される電力供給モジュール、及び無線通信を実行するように構成される無線通信モジュールを含む。イメージ取得モジュールは、前記スマート照明装置の周辺域のイメージ又はビデオをリアルタイムでとらえ、分析用の前記制御モジュールに前記イメージ又は前記ビデオを送信するように構成される。マイクロフォン・モジュールは、スリープ・モード及び監視モードを含む複数の操作モードをもつように構成され、前記２つの操作モードの間を切り替えるために前記イメージ又は前記ビデオに基づいて前記制御モジュールからの制御信号を受信するように構成される。前記マイクロフォン・モジュールは、監視モードで操作されるとき、前記スマート照明装置の周辺域のオーディオ信号を集めるように構成される。前記制御モジュールは、前記発光モジュール、前記イメージ取得モジュール、前記マイクロフォン・モジュール、及び前記無線通信モジュールをそれぞれ接続し、前記イメージ又は前記ビデオに基づいて前記制御信号を提供するために前記イメージ取得モジュールからの前記イメージ又は前記ビデオを受信して分析し、及び前記イメージにヒト又は特定のヒトの身振りが現れた時に、前記監視モードに切り替えるために前記制御信号を前記マイクロフォン・モジュールに送信するように構成される。
【０００７】
本願開示のもう１つの側面は、スマート照明制御システムを提供する。当該スマート照明制御システムは、スマート照明装置及びクラウド・サーバーを含む。前記スマート照明装置は、光を放つように構成される発光モジュール、前記スマート照明装置全体に電力を供給するように構成される電力供給モジュール、前記スマート照明装置の周辺域のイメージ又はビデオをリアルタイムでとらえ、及び無線通信モジュールに前記イメージ又は前記ビデオを送信するように構成されるイメージ取得モジュールを含むことができる。前記無線通信モジュールは、前記イメージ取得モジュールから前記クラウド・サーバーに前記イメージ又は前記ビデオを送信し、及び外部装置と無線通信を実行するように構成される。マイクロフォン・モジュールは、スリープ・モード及び監視モードを含む複数の操作モードをもつように構成され、前記操作モードの間を切り替えるために前記イメージ又はビデオに基づいて制御モジュールからの制御信号を受信するように構成される。前記マイクロフォン・モジュールは、前記監視モードが操作されるとき、前記スマート照明装置の周辺域のオーディオ信号を集めるように構成される。前記制御モジュールは、前記操作モード間の切り替えのために前記マイクロフォン・モジュールに前記制御信号を送信するように構成される。前記無線通信モジュールは、前記イメージ取得モジュールから前記クラウド・サーバーに前記イメージ又は前記ビデオを送信する。前記クラウド・サーバーは、認識ソフトウエアを用いてイメージ認識を実行する。前記クラウド・サーバーがヒト又は特定のヒトの身振りが前記イメージ又は前記ビデオに現れたと判断するとき、前記クラウド・サーバーは、前記マイクロフォン・モジュールを前記監視モードに切り替えるために前記制御モジュールにフィードバックを送信する。
【０００８】
本願開示のもう１つの側面は、スリープ・モード及び監視モードを含む操作モード、無線通信モード、及び制御モードを有するように構成される、電力供給モジュール、発光モジュール、イメージ取得モジュール、マイクロフォン・モジュールを含むスマート照明装置を提供することにより、スマート照明制御方法を提供する。前記スマート照明装置の周辺域のイメージ又はビデオがとられ、分析用の前記制御モジュールに送信される。前記イメージ又は前記ビデオにヒト又は特定のヒトの身振りが現れたと判定されるとき、前記マイクロフォン・モジュールは前記監視モードに切り替えられる。前記スマート照明装置の周辺域のオーディオ信号は前記監視モードで前記マイクロフォン・モジュールにより集められ、音声指令を発生するために、前記スマート照明装置の前記制御モジュールによりローカルに、又は前記スマート照明装置に接続されるクラウド・サーバーにより認識される。前記発光モジュールから発せられる光のオン／オフ切り替え、輝度、色彩、色彩温度、又はそれらの組み合わせは、前記音声にしたがって調整される。
【０００９】
当業者は、本願開示のその他の側面を、本願開示の明細書、特許請求の範囲、及び図面に照らして理解することができる。
【図面の簡単な説明】
【００１０】
以下の図面は、開示された様々な態様にしたがった説明のための単なる例示に過ぎず、本願開示の範囲を限定することを意図するものではない。
【００１１】
【図１】図１は、本願開示の様々な態様にしたがったスマート照明装置の１例を示す構造図であり、及び
【００１２】
【図２】図２は、本願開示の様々な態様にしたがったスマート照明装置の応用概要の１例を示す図である。
【発明を実施するための形態】
【００１３】
付随する図面で説明される、本願開示の具体的態様を詳細に参照する。以下、本願開示にしたがった複数の態様が図面を参照して記載される。可能な箇所では、図面全体について同じ又は同様の箇所を参照するために同じ参照番号を用いる。本願記載の態様は本願発明の幾つかであり、全てではないことは明らかである。本願開示の態様に基づいて、当業者は、本願開示にしたがったその他の態様であるが、その全てが本願発明の範囲内にあるものを誘導することができる。
【００１４】
図１は、本願開示の様々な態様にしたがったスマート照明装置の１例の構造図である。図１に示されるように、例示のスマート照明装置は、電源供給モジュール１０、発光モジュール１１、マイクロフォン・モジュール１２、制御モジュール１５、無線通信モジュール１３、及びイメージ取得モジュール１４を含むことができる。
【００１５】
前記電源供給モジュール１０は、前記スマート照明装置全体に電源を供給し、光を発するために前記発光モジュール１１を駆動することができる。前記マイクロフォン・モジュール１２、前記制御モジュール１５、前記無線通信モジュール１３、及び前記イメージ取得モジュール１４は、それぞれ前記電源供給モジュール１０に接続することができる。前記マイクロフォン・モジュール１２は、例えば、スリープ・モード及び監視モードを含む、制御可能な又は切り替え可能な操作モードをもつように構成することができる。
【００１６】
前記イメージ取得モジュール１４は、イメージ・センサーを含むことができる。当該イメージ・センサーは、ＣＣＤ（電荷結合素子：charge-coupled device）イメージ・センサーでも、ＣＭＯＳ（相補型金属酸化物半導体：complementary metal-oxide semiconductor）イメージ・センサーでもよい。前記イメージ取得モジュール１４は、前記スマート照明装置の周辺域のイメージ及び／又はビデオをリアルタイムでとらえ、前記制御モジュール１５にフィードバックを提供するように構成することができる。
【００１７】
前記制御モジュール１５は、前記イメージ取得モジュール１４から受信する前記イメージ／ビデオを分析し、そのイメージに人間／ヒト／ユーザー又は何か対象物が現れないかを判断するように構成することができる。例えば、前記イメージ取得モジュール１４により提供されるイメージにヒトが現れると判断されるとき、前記制御モジュール１５は前記マイクロフォン・モジュール１２に制御信号を送信し、前記マイクロフォン・モジュール１２をスリープ・モードから監視モードにアクティブ化する（activate）ことができる。監視モードで操作するとき、前記マイクロフォン・モジュール１２は、前記スマート照明装置の近隣のオーディオ信号を集め、前記制御モジュール１５及び前記無線通信モジュール１３に当該オーディオ信号を送信するように構成することができる。
【００１８】
１つの態様において、前記マイクロフォン・モジュール１２は、前記スマートＬＥＤ照明装置に構成される組み込みソフトウエア・プログラムによって前記スリープ・モードと前記監視モードとの間を切り替えることができる。例えば、前記組み込みソフトウエア・プログラムは、前記スマートＬＥＤ照明装置中の前記制御モジュール１５の中に集積負荷することができる。もう１つの態様において、前記スリープ・モードと前記監視モードとの間の切り替えは、集積回路（IC）装置のようなハードウエアにより実行することができる。
【００１９】
さらに、様々な態様において、前記イメージ取得モジュール１４はリアルタイムで操作するので、前記制御モジュール１５が、約１０秒のような予め設定された時間に、又は如何なる予め設定された時間に、イメージ／ビデオの中のヒトがいなくなったと分析・判断すると、前記制御モジュール１５は前記マイクロフォン・モジュール１２を前記スリープ・モードに切り替える信号を送信することができる。特定の態様において、前記スマート照明装置の近くのヒトは、前記マイクロフォン・モジュール１２を前記スリープ・モードに切り替える特定の手振り又は音声指令を用いることができる。
【００２０】
任意に、前記イメージ取得モジュール１４は、さらにイメージ認識ユニットを含むことができる。前記マイクロフォン・モジュール１２は、前記取得モジュール１４が、ヒト、ヒトによりなされる特定の身振り、又は如何なる対象物の出現を検知するとき、誘発又はアクティブ化される（例えば、前記監視モードに切り替える）ように構成することができる。例えば、前記特定の身振りは、９０度より大きく手を時計のように振る及び／又は離れたところから前記スマート照明装置の方向に向かって前記イメージ取得モジュールのイメージ・センサーの視野がブロックされるまで手、肘、又は頭を動かすような、予め構成されたパターンのボディー・アクションでもよい。
【００２１】
特定の態様において、前記イメージ取得モジュール１４は前記イメージ認識ユニットを含むことができないが、前記とらえられたイメージ／ビデオをクラウド・サーバー（又は移動電話のようなスマート端末）に送信することができる。前記クラウド・サーバーは、イメージ認識を実行し、それに応じて前記マイクロフォン・モジュールを前記監視モードに切り替えるように判断することができる。
【００２２】
さらに、前記スマートＬＥＤ照明装置は、前記マイクロフォンが監視モードで操作されているか否かを示すためのマイクロフォン・アクティブ化インジケーターを含むことができる。
【００２３】
図２は、本願開示の様々な態様にしたがった前記スマート照明装置の応用概要の１例を示す図である。図２に示されるように、例示のスマート照明装置１はネットワークを介してクラウド・サーバー２に接続することができる。前記スマート照明装置１及び前記クラウド・サーバー２はスマート照明制御システムを形成することができる。前記クラウド・サーバーは本願発明において説明的な例示として用いられており、スマート端末のような如何なるコンピューティング装置も前記クラウド・サーバーに置き換えて用いることができることに留意されたい。
【００２４】
前記スマート照明装置１及び／又は前記クラウド・サーバー２のイメージ取得モジュール１４が前記スマート照明装置１周辺のユーザーまたは対象物の出現を検知するとき、前記マイクロフォン・モジュール１２は前記監視モードがアクティブにされ、前記スマート照明装置１周辺のオーディオ信号を集め始めることができる。
【００２５】
１つの態様において、前記スマート照明装置１の制御モジュール１５は、前記集められたオーディオ信号に関する音声認識を実行することができる。もう１つの態様において、前記音声認識は、前記クラウド・サーバー２に構成されるソフトウエア・プログラムにより実行することができる。音声指令が前記クラウド・サーバー２を用いて前記音声認識により前記オーディオ信号から認識された後、前記音声指令は、前記スマート照明装置１のスイッチのオン／オフ、輝度、色彩、及び／又は色彩温度を調整するために、前記制御モジュール１５により変換（又はさもなければ加工）することができる。
【００２６】
様々な態様において、前記マイクロフォン・モジュール１２により集められたオーディオ信号は、音声指令、雑音、及び／又はヒト、動物、又は如何なる適当な対象物からの音楽の音のような如何なるオーディオ信号も含むことができる。したがって、そのようなオーディオ信号は、前記制御モジュール１５又は前記クラウド・サーバー２のいずれによっても認識することができる。前記オーディオ信号が前記音声認識により認識されて音声指令を発生するとき、前記音声指令は前記制御モジュール１５によりさらに加工されて前記スマート照明装置１を、例えば、異なる部屋におけるもう１つのスマート照明装置により発せられる光を点灯／消灯又は調整し、及び同一の装置ネットワークにおいて如何なるスマート照明装置のスピーカーの音量をスイッチ・オン／オフ又は調整するように等、制御及び／又は調整する。
【００２７】
特定の態様において、装置ネットワークを多数のスマート照明装置及び１又は複数のサーバー及びスマート端末を含むように形成することができる。例えば、前記スマート照明装置の１つに近づくユーザー又はヒトは、１つのスマート照明装置のイメージ取得モジュールによって検知及びとらえられ、そのマイクロフォンをスイッチ・オンして前記ユーザーのオーディオ信号を集めることができる。次に、前記集められたオーディオ信号から前記クラウド・サーバー２により生成された音声指令は、同一のネットワークにある他の異なるスマート照明装置を前記クラウド・サーバー２を介して制御するために用いることができる。例えば、前記クラウド・サーバー２に構成されるソフトウエア・プログラムは、様々な異なるスマート照明装置のそれぞれに関する音声指令を生成し、同一のネットワークにおけるこれらのスマート照明装置の集中化された制御を可能にすることができる。この場合、１つのスマート照明装置により集められるオーディオ信号は、前記クラウド・サーバーを介して他の１又は複数のスマート照明装置を制御するために用いることができる。
【００２８】
その他の特定の態様において、装置ネットワークは、多数のスマート照明装置を含み、サーバー（クラウド・サーバーのような）又はスマート端末を含まないように形成することができる。例えば、前記スマート照明装置の１つに近づくユーザー又はヒトは、前記スマート照明装置の制御モジュールにより認識されるオーディオ信号を提供し、音声指令を提供して他の異なる１又は複数のスマート照明装置を、異なる部屋におけるその他の異なるスマート照明装置により発せられる光を点灯／消灯又は調整し、同一の装置ネットワークにおいて如何なるスマート照明装置のスピーカーの音量をスイッチ・オン／オフ又は調整するように等、制御することができる。
【００２９】
さらに、前記スマート照明装置１はインターネットに接続することができ、ユーザーは音声指令により、天気情報及び交通情報を問い合わせるなど、直接的にオンライン情報を問い合わせることができる。１つの態様において、前記スマート照明装置１は、さらに、前記問い合わせた情報を放送するように構成された組み込みスピーカー又は無線スピーカーを含むことができる。もう１つの態様において、前記問い合わせた情報は、同一のネットワークの外部スピーカーにより放送することができる。様々な態様において、前記放送された情報は、装置ネットワークにおける如何なる１又は複数の所望のスマート照明装置によっても受信し、実行することができる。
【００３０】
さらに、同一のネットワークにおける1つのスマート照明装置の組み込みスピーカー又は外部スピーカーは、前記音声指令にしたがってフィードバック情報を放送し、ユーザーと前記スマート照明装置との間の対話を可能にすることができる。例えば、前記フィードバック情報により、すぐに消灯を確認する、又は一定時間の後に光の色彩を青又は他の色に変える、輝度を上昇／低下させる等、前記ユーザーの照明制御指令を確認することができる。もう1つの例において、前記フィードバック情報により、様々な場合における前記ユーザーの、前記天気予報の時間及び地点の質問、及び／又は前記交通情報のための特定の道路名の質問のように、更なる案内又は詳細な指示を要求することができる。
【００３１】
前記無線通信モジュール１３は、前記クラウド・サーバー及び／又は他の装置と無線通信を実行するように構成することができる。様々な態様において、前記無線通信モジュール１３は、ラジオ周波モジュール（radio frequency (RF)）、ＷＩ−ＦＩモジュール、又はブルートゥース（登録商標）・モジュールであってもよい。
【００３２】
１つの態様において、前記無線通信モジュール１３は、２．４Ｇ又は５ＧのＷＩ−ＦＩ技術、又は２．５Ｇ、３Ｇ、又は４Ｇモバイル無線通信技術を用いるラジオ周波モジュールであってもよい。
【００３３】
本願開示は、また、スマート照明装置を用いるスマート照明方法を提供する。前記スマート照明装置は、電力供給モジュール、発光モジュール、イメージ取得モジュール、マイクロフォン・モジュール、無線通信モジュール、及び制御モジュールを含むことができる。本願開示にしたがった、スマート照明方法の１例は以下のステップを含むことができる。
【００３４】
ステップ１において、前記イメージ取得モジュールは、前記スマート照明装置の周辺域のイメージ／ビデオをとらえ、分析用の前記制御モジュールに当該イメージ／ビデオを送信することができる。前記制御モジュールがユーザーの出現を判断するとき、前記マイクロフォン・モジュールは前記監視モードに切り替えられる。
【００３５】
ステップ２において、前記マイクロフォン・モジュールは、前記監視モードで操作し、前記スマート照明装置の周辺域のオーディオ信号を集める。
【００３６】
ステップ３において、前記オーディオ信号は、前記スマート照明装置によりローカルの、又は前記スマート照明装置に接続されるクラウドのサーバーにより解析することができる。
【００３７】
ステップ４において、前記オーディオ信号が認識されて音声指令を生成するとき、前記音声指令は前記制御モジュールにより加工されて、前記音声指令にしたがって前記スマート照明装置のスイッチのオン／オフ、輝度、色彩、及び／又は色彩温度を調整することができる。同一のネットワークにおけるその他のスマート照明装置は、また、前記クラウド・サーバー（又は他のコンピューティング装置）を介して前記音声指令にしたがって制御することができる。
【００３８】
１つの態様において、前記スマート照明方法は、さらに以下の例示のステップ、すなわち、前記イメージ取得モジュールが前記スマート照明装置の周辺域のイメージ／ビデオを集め、前記分析用の制御モジュールに当該イメージ／ビデオを送信するステップを含むことができる。前記制御モジュールが前記イメージ／ビデオのヒト又は如何なる対象物が予め設定した時間（例えば、約１０分間）で消えたと判断するとき、前記制御モジュールは前記マイクロフォン・モジュールを前記スリープ・モードに切り替える信号を送信する。
【００３９】
もう１つの態様において、前記スマート照明装置近くのヒト又はユーザーは、前記マイクロフォン・モジュールを前記スリープ・モードに切り替えるために、特定の身振り又は音声指令を用いることができる。前記特定の身振りは、９０度より大きく手を時計のように振る及び／又は離れたところから前記スマート照明装置の方向に向かって前記イメージ取得モジュールのイメージ・センサーの視野がブロックされるまで、手、肘、又は頭を動かすような、予め構成されたパターンのボディー・アクションでもあってもよい。
【００４０】
特定の態様において、前記イメージ取得モジュール、前記制御モジュール、及び／又は前記クラウド・サーバーにより実行されるイメージ認識に加えて、顔認識技術が予め保存された顔ライブラリーにしたがって特定のヒトの出現の検知に適用することができる。すなわち、ユーザーは、光の輝度、色彩、及び／又は色彩温度に関する好み、及び／又は前記予め設定した構成をアクティブ化するような予め設定した音声指令のような、予め設定した構成と一緒に顔ライブラリーの彼／彼女の顔身分証明を保存することができる。前記顔認識プログラムが、前記ユーザーが出現する及び／又は前記ユーザーが予め設定した音声指令を与えると判断するとき、前記スマート照明装置は、それにしたがい、例えば、前記発光の色彩／輝度を変化させ、及び／又は前記スピーカーからの特定の情報を放送することにより、前記発光モジュールを調整することができる。
【００４１】
いくつかの態様において、前記制御モジュールは、前記イメージ取得モジュールから集められたイメージが正確にユーザーの指令を示すか否かに基づいて、前記発光モジュールの光を調整することができる。例えば、もし前記発光装置が、特定の制御指令（例えば、点灯、消灯など）用に定義されたヒトの身振りに類似又は酷似しているヒトの身振りを検知するが、前記制御システムが前記集められたイメージ・データに前記身振りを確認できないなら、前記スマート照明装置の制御モジュールは、前記発光モジュールにより生成される光に調整することができる。例えば、前記スマート照明装置は、前記イメージ取得モジュールがより良い質のイメージを取得できるように、前記光の方向、輝度、色彩などを調整することができる。また、前記スマート照明装置は、前記制御モジュールが特定の制御指令用に定義されたヒトの身振りを超えて判断する（例えば、何もないときに指令身振りを確認する）とき、前記発光モジュールにより提供される光を同様に調整することができる。
【００４２】
同様に、もし前記スマート照明装置が前記マイクロフォン・モジュールを誘導して操作モードのスイッチをオン／オフ又は変える顔認識機能を実行することが難しければ、前記スマート照明装置の制御モジュールは前記発光モジュールにより生成する光を調整することができる。例えば、前記スマート照明装置は、前記イメージ取得モジュールがより良い質のイメージを取得できるように、前記光の方向、輝度、色彩などを調整することができる。
【００４３】
本願開示のその他の態様は、本願開示の発明の明細書及び実施を考慮すれば、当業者に明らかであろう。本願の明細書及び実施は単なる例示であり、本願発明の真の範囲及び神髄は特許請求の範囲で示される、として企図されるものである。
【産業上の利用可能性】
【００４４】
全ての請求項及び／又は明細書の範囲を制限することなく、本願開示の態様の産業上の利用性及び特定の有利な効果の実例が説明のために挙げられている。本願開示の態様の技術的解決手段への様々な変更、修飾又は等価物は、当業者に明らかであり得、本願開示に含まれ得る。
【００４５】
本願開示は、組み込みマイクロフォン・モジュール及びイメージ取得モジュールを備えるスマート照明装置を提供する。前記マイクロフォン・モジュールは、スリープ・モード及び監視モードを含む２つの操作モードを有することができる。前記イメージ取得モジュールが前記スマート照明装置の周辺域のユーザー又は如何なる対象物の出現を検知するとき、前記マイクロフォン・モジュールは前記監視モードで操作されるように呼び起こすことができる。ゆえに、前記マイクロフォン・モジュールは、必要な時に前記監視モードでオーディオ信号を集め、必要でないときに前記スリープ・モードで低電力消費を維持することができる。これにより、スマート照明装置全体の電力消費が低減し、電力を節減し、及び前記スマート照明装置の操作期間が延長する。
【００４６】
さらに、前記マイクロフォン・モジュールは、前記無線通信モジュールを介して集められたオーディオ信号をクラウド・サーバー／スマート端末に送信することができ、これによりインテリジェント監視が可能になる。さらに、前記スマート照明装置、前記スマート端末、及び／又は前記クラウド・サーバーは、前記オーディオ信号に関する音声認識を実行することができる。音声指令が前記オーディオ信号から生成するとき、前記発光モジュールは前記音声指令にしたがって前記スマート照明装置のスイッチ・オン／オフ、輝度、色彩、及び／又は色彩温度を調整するように制御することができる。特定の態様において、前記音声指令は前記クラウド・サーバーを介して同一のネットワークにおけるその他のスマート装置を制御することを含むことができる。
【図１】
2017511952.tif 000003
【図２】
2017511952.tif 000004
【国際調査報告】
2017511952.tif 000005
2017511952.tif 000006